(57)【要約】【課題】材質の異なる破砕屑の分別収集および分別廃棄が容易なシュレッダー用の破砕屑収集容器を提供する。【解決手段】収集容器１０は、第一容器１１の内部に収容され第一容器１１から着脱可能な第二容器１２を有している。第一容器１１および第二容器１２は、それぞれシュレッダーの異なる破砕部の下方に開口している。これにより、第一容器１１および第二容器１２には材質の異なる破砕屑を分別して回収することができる。そして、破砕屑を廃棄するとき、第一容器１１と第二容器１２とを分離することにより、材質の異なる破砕屑が混在することはない。したがって、破砕屑を自治体の要求に応じて容易に分別することができるとともに、分別廃棄を容易にすることができる。【選択図】図１
0003118383.tif 000002
【実用新案登録請求の範囲】
【請求項１】
二つの破砕部を備えるシュレッダーの重力方向下方に設置されるシュレッダー用の破砕屑収集容器であって、
前記シュレッダーの下方に前記シュレッダーから着脱可能に設置され、前記シュレッダーの下端部に結合可能な第一容器と、
前記第一容器の内部に前記第一容器から着脱可能に収容される第二容器と、
を備えるシュレッダー用の破砕屑収集容器。
【請求項２】
前記第一容器は前記第二容器を除く前記シュレッダー側の開口が前記シュレッダーのいずれか一つの破砕部の下方に位置し、前記第二容器は前記シュレッダー側の開口が前記シュレッダーの他方の破砕部の下方に位置する請求項１記載のシュレッダー用の破砕屑収集容器。
【請求項３】
前記第一容器に収集される破砕屑と、前記第二容器に収集される破砕屑とは、材質が異なる請求項１または２記載のシュレッダー用の破砕屑収集容器。
【請求項４】
前記第一容器に収集される破砕屑は可燃物であり、前記第二容器に収集される破砕屑は不燃物または難燃物である請求項３記載のシュレッダー用の破砕屑収集容器。
【請求項５】
前記第一容器および前記第二容器は、透明である請求項１から４記載のシュレッダー用の破砕屑収集容器。
【考案の詳細な説明】
【技術分野】
【０００１】
本考案は、シュレッダー用の破砕屑収集容器に関し、特にシュレッダーの重力方向下方に設置され、シュレッダーで破砕された屑を分別して収集するシュレッダー用の破砕屑収集容器に関する。
【背景技術】
【０００２】
従来、二つ以上の破砕部を備えるシュレッダーが公知である。このようなシュレッダーでは、例えば書類や書籍などの紙類を破砕する破砕部と、ＣＤ（コンパクトディスク）やＤＶＤなど樹脂製のディスク類を破砕する破砕部とを備えている。
シュレッダーで破砕された破砕屑は、重力によってシュレッダーの下方に設置されている破砕屑収集容器に落下して収集される。そのため、二つ以上の破砕部を備えるシュレッダーの場合、破砕屑収集容器には材質の異なる破砕屑が混在する。
【考案の開示】
【考案が解決しようとする課題】
【０００３】
しかしながら、近年、環境保護の観点から、廃棄物のリサイクルの促進が図られている。そのため、家庭や事業所には、自治体ごとに廃棄物の詳細な分別が要求されている。これにより、破砕屑収集容器に異なる材質の破砕屑が混在すると、分別に手間が掛かるという問題がある。また、破砕屑収集容器の内部に固定の仕切壁を設置して、破砕屑の分別を図ることも考えられる。しかし、収集した破砕屑を材質ごとにゴミ袋へ投入する際、仕切られた他方の空間に収集された破砕屑が混入し、却って分別の手間が掛かるという問題がある。
【０００４】
そこで、本考案の目的は、材質の異なる破砕屑の分別収集および分別廃棄が容易なシュレッダー用の破砕屑収集容器を提供することにある。
【課題を解決するための手段】
【０００５】
請求項１記載のシュレッダー用の破砕屑収集容器では、二つの破砕部を備えるシュレッダーの重力方向下方に設置されるシュレッダー用の破砕屑収集容器であって、前記シュレッダーの下方に前記シュレッダーから着脱可能に設置され、前記シュレッダーの下端部に結合可能な第一容器と、前記第一容器の内部に前記第一容器から着脱可能に収容される第二容器と、を備える。
第二容器は、第一容器から着脱可能である。そのため、第二容器に収集された破砕屑を廃棄するとき、第二容器は第一容器から取り外される。その結果、第一容器に収集された破砕屑と第二容器に収集された破砕屑とを個別に異なるゴミ袋へ投入することができる。したがって、材質の異なる破砕屑を分別して収集することができるとともに、廃棄時に破砕屑が混入することがなく、分別廃棄を容易にすることができる。
【０００６】
請求項２記載のシュレッダー用の破砕屑収集容器では、前記第一容器は前記第二容器を除く前記シュレッダー側の開口が前記シュレッダーのいずれか一つの破砕部の下方に位置し、前記第二容器は前記シュレッダー側の開口が前記シュレッダーの他方の破砕部の下方に位置する。
これにより、第一容器と第二容器とには異なる材質の破砕屑を個別に分別して収集することができる。
【０００７】
請求項３記載のシュレッダー用の破砕屑収集容器では、前記第一容器に収集される破砕屑と、前記第二容器に収集される破砕屑とは、材質が異なる。
そのため、第一容器または第二容器に収集される破砕屑に異なる材質の破砕屑が混入することはない。
【０００８】
請求項４記載のシュレッダー用の破砕屑収集容器では、前記第一容器に収集される破砕屑は可燃物であり、前記第二容器に収集される破砕屑は不燃物または難燃物である。
これにより、自治体の要求に合わせて破砕屑を分別することができる。
【０００９】
請求項５記載のシュレッダー用の破砕屑収集容器では、前記第一容器および前記第二容器は、透明である。
これにより、第一容器および第二容器に収集された破砕屑の量を外部から容易に認識することができ、破砕屑の廃棄時期を適切に判断することができる。
【考案を実施するための最良の形態】
【００１０】
以下、本考案の一実施形態によるシュレッダー用の破砕屑収集容器を図面に基づいて説明する。
図１から図３に本実施形態によるシュレッダー用の破砕屑収集容器（以下、単に「収集容器」という。）１０を示す。収集容器１０は、図２に示すようにシュレッダー２０の重力方向下方に設置される。シュレッダー２０は、公知のシュレッダーであり、例えば手回し式などの手動シュレッダー、あるいは電動式などの自動シュレッダーなどを適用することができる。シュレッダー２０は、第一破砕部２１と、第一破砕部２１に隣接する第二破砕部２２とを有している。第一破砕部２１は、例えば紙などの比較的大きく柔らかい対象物を破砕する。一方、第二破砕部２２は、例えばＣＤやＤＶＤなどの樹脂ディスク、あるいはキャッシュカードやクレジットカードなどの樹脂製のカードのように比較的硬い対象物を破砕する。
【００１１】
収集容器１０は、図１および図３に示すように第一容器１１および第二容器１２を備えている。第一容器１１は、シュレッダー２０の下端部、すなわち第一破砕部２１および第二破砕部２２で破砕された破砕屑が排出される側に設置されている。第一容器１１のシュレッダー２０側の端部は、シュレッダー２０の下端部の形状と対応し、シュレッダー２０の下端部に結合可能である。
【００１２】
また、第一容器１１の内部には、第二容器１２が着脱可能に収容されている。第二容器１２は、第一容器１１よりも小さく、第一容器１１の内部に収容されている。第二容器１２は、シュレッダー２０側の端部に係止部１３を有している。第二容器１２は、係止部１３を第一容器１１のシュレッダー２０側の端部に係止することにより、第一容器１１に緩く固定される。
【００１３】
第一容器１１に第二容器１２を収容することにより、シュレッダー２０の第一破砕部２１の下方には第二容器１２を除く第一容器１１のシュレッダー２０側の端部が開口する。これにより、第一破砕部２１で破砕された破砕屑は、第一容器１１に落下し、第一容器１１に収集される。一方、シュレッダー２０の第二破砕部２２の下方には、第二容器１２のシュレッダー２０側の端部が開口する。これにより、第二破砕部２２で破砕された破砕屑は、第二容器１２に落下し、第二容器１２に収集される。
【００１４】
第一容器１１および第二容器１２は、例えば樹脂などの透明な材質で形成されている。そのため、第一容器１１および第二容器１２に収集された破砕屑は、収集容器１０の外側から容易に認識することができる。したがって、破砕屑の廃棄の時期を容易に判断することができる。
【００１５】
収集容器１０に収集された破砕屑を廃棄する場合、まず収集容器１０に搭載されているシュレッダー２０を収集容器１０から取り外す。そして、第一容器１１から第二容器１２を取り外す。これにより、第一容器１１と第二容器１２とは分離される。その後、第一容器１１および第二容器１２に収集された破砕屑をそれぞれ個別にゴミ袋に廃棄する。このとき、第一容器１１と第二容器１２とは分離しているので、第一容器１１に収集された破砕屑と第二容器１２に収集された破砕屑とがゴミ袋への廃棄時に混在することはない。したがって、第一容器１１および第二容器１２に収集された破砕屑を個別に分別してゴミ袋へ廃棄することができる。
【００１６】
以上のように、本考案の一実施形態による収集容器１０は、第一容器１１および第二容器１２に材質の異なる破砕屑を分別して回収することができるとともに、破砕屑を廃棄するときに材質の異なる破砕屑が混在することはない。したがって、破砕屑を自治体の要求に応じて容易に分別することができるとともに、分別廃棄を容易にすることができる。
以上説明した本考案は、上記実施形態に限定されるものではなく、その要旨を逸脱しない範囲で種々の実施形態に適用可能である。
【図面の簡単な説明】
【００１７】
【図１】本考案の一実施形態による収集容器の概略を示す斜視図。
【図２】本考案の一実施形態による収集容器にシュレッダーを搭載した状態を示す概略斜視図。
【図３】本考案の一実施形態による収集容器の概略を示す図であって、（Ａ）はシュレッダー側から見た図であり、（Ｂ）は（Ａ）のＢ−Ｂ線における断面図。
【符号の説明】
【００１８】
１０  収集容器（シュレッダー用の破砕屑収集容器）、１１  第一容器、１２  第二容器、２０  シュレッダー、２１  第一破砕部、２２  第二破砕部
【図１】
0003118383.tif 000003
【図２】
0003118383.tif 000004
【図３】
0003118383.tif 000005